(57)【要約】【課題】原稿を仕分けることができる画像読取装置を提供する。【解決手段】画像読取装置１は、給紙された原稿５１を読取位置Ｐ１へ搬送する搬送手段（ローラＲ１〜Ｒ１２）と、読取位置Ｐ１で原稿５１を読み取る画像センサ５と、搬送手段によって搬送されている原稿５１一枚毎に原稿５１に付けられている情報を基にして所定の判定（例えば白紙の面を有するか否かの判定）をする判定手段と、この判定の結果に応じて搬送手段によって原稿が排紙される位置（排紙トレイＴ１，Ｔ２）を切り替える切替手段（ガイドＧ１）と、を備える。【選択図】図３
2007282065.tif 000002
【特許請求の範囲】
【請求項１】
給紙された原稿を読取位置へ搬送する搬送手段と、
前記読取位置で原稿を読み取る画像センサと、
前記搬送手段によって搬送されている原稿一枚毎に原稿に付けられている情報を基にして所定の判定をする判定手段と、
前記判定の結果に応じて前記搬送手段によって原稿が排紙される位置を切り替える切替手段と、を備える
ことを特徴とする画像読取装置。
【請求項２】
前記画像センサで原稿を読み取ることによって前記情報を取得する
ことを特徴とする請求項１に記載の画像読取装置。
【請求項３】
原稿が排紙される位置の切り替えは、原稿が排紙されるトレイの切り替えである
ことを特徴とする請求項１又は２に記載の画像読取装置。
【請求項４】
前記所定の判定は、原稿が白紙の面を有するか否かの判定を含み、
前記搬送手段は、白紙の面を有する判定がされた原稿について白紙の面を一方向に揃えて排紙する
ことを特徴とする請求項１〜３のいずれか一項に記載の画像読取装置。
【請求項５】
給紙された原稿を読取位置へ搬送する搬送手段と、
前記読取位置で原稿を読み取る画像センサと、
前記搬送手段によって搬送されている原稿一枚毎にカラー原稿か否かの判定をする判定手段と、
前記判定の結果に応じて前記搬送手段によって原稿が排紙される位置を切り替える切替手段と、を備える
ことを特徴とする画像読取装置。
【請求項６】
給紙された原稿を読取位置へ搬送する搬送手段と、
前記読取位置で原稿を読み取る画像センサと、
前記搬送手段によって搬送されている原稿一枚毎に機密原稿か否かの判定をする判定手段と、
前記判定の結果に応じて前記搬送手段によって原稿が排紙される位置を切り替える切替手段と、を備える
ことを特徴とする画像読取装置。
【請求項７】
給紙された原稿を読取位置へ搬送する搬送手段と、
前記読取位置で原稿を読み取る画像センサと、
前記搬送手段によって搬送されている原稿一枚毎に白紙の面を有するか否かの判定をする判定手段と、
前記判定の結果に応じて前記搬送手段によって原稿が排紙される位置を切り替える切替手段と、を備える
ことを特徴とする画像読取装置。
【発明の詳細な説明】
【技術分野】
【０００１】
本発明は、例えば原稿自動送り装置を用いて原稿を読み取る画像読取装置に関する。
【背景技術】
【０００２】
原稿自動送り装置は、コピー機、スキャナー、ファクシミリ機やこれらの機能を有するデジタル複合機に備えることができ、それによれば原稿を自動的に連続して読み込むことができる。
【０００３】
原稿自動送り装置には、原稿の端部を検知するセンサを用いて原稿が大サイズか小サイズかを判定し、サイズに応じて原稿の搬送経路を異ならせることにより、原稿の搬送の効率化等を図るものがある（例えば特許文献１参照）。この装置によれば、大サイズの原稿と小サイズの原稿とで排紙トレイを異ならせているので、原稿を大サイズと小サイズに仕分けることができる。
【特許文献１】特開２００３−８８３０号公報
【発明の開示】
【発明が解決しようとする課題】
【０００４】
コピーやプリンタによって画像や文書等（以下、「画像」と称する）が記録されている原稿であっても、例えば片面が白紙であれば、裏紙として再利用することができる。したがって、裏紙として再利用できる原稿とそうでない原稿とに仕分けることができれば便利である。
【０００５】
本発明の目的は、原稿を仕分けることができる画像読取装置を提供することである。
【課題を解決するための手段】
【０００６】
本発明に係る画像読取装置は、給紙された原稿を読取位置へ搬送する搬送手段と、前記読取位置で原稿を読み取る画像センサと、前記搬送手段によって搬送されている原稿一枚毎に原稿に付けられている情報を基にして所定の判定をする判定手段と、前記判定の結果に応じて前記搬送手段によって原稿が排紙される位置を切り替える切替手段と、を備える。
【０００７】
本発明に係る画像読取装置において、前記画像センサで原稿を読み取ることによって前記情報を取得する、ようにすることができる。
【０００８】
本発明に係る画像読取装置において、原稿が排紙される位置の切り替えは、原稿が排紙されるトレイの切り替えである、ようにすることができる。
【０００９】
本発明に係る画像読取装置において、前記所定の判定は、原稿が白紙の面を有するか否かの判定を含み、前記搬送手段は、白紙の面を有する判定がされた原稿について白紙の面を一方向に揃えて排紙する、ようにすることができる。
【００１０】
本発明に係る画像読取装置は、給紙された原稿を読取位置へ搬送する搬送手段と、前記読取位置で原稿を読み取る画像センサと、前記搬送手段によって搬送されている原稿一枚毎にカラー原稿か否かの判定をする判定手段と、前記判定の結果に応じて前記搬送手段によって原稿が排紙される位置を切り替える切替手段と、を備える。
【００１１】
本発明に係る画像読取装置は、給紙された原稿を読取位置へ搬送する搬送手段と、前記読取位置で原稿を読み取る画像センサと、前記搬送手段によって搬送されている原稿一枚毎に機密原稿か否かの判定をする判定手段と、前記判定の結果に応じて前記搬送手段によって原稿が排紙される位置を切り替える切替手段と、を備える。
【００１２】
本発明に係る画像読取装置は、給紙された原稿を読取位置へ搬送する搬送手段と、前記読取位置で原稿を読み取る画像センサと、前記搬送手段によって搬送されている原稿一枚毎に白紙の面を有するか否かの判定をする判定手段と、前記判定の結果に応じて前記搬送手段によって原稿が排紙される位置を切り替える切替手段と、を備える。
【発明の効果】
【００１３】
本発明に係る画像読取装置によれば、給紙された原稿一枚毎に原稿に付けられている情報を基にして所定の判定をし、判定の結果に応じて原稿が排紙される位置を切り替えている。したがって、本発明によれば、原稿に付けられている情報を基に如何なる原稿か判定（例えば裏紙として再利用できる原稿か否かを判定）し、その結果に応じて原稿が排紙される位置を切り替えているので、原稿を仕分けることができる。
【００１４】
本発明に係る画像読取装置によれば、給紙された原稿一枚毎にカラー原稿か否かの判定をし、判定の結果に応じて原稿が排紙される位置を切り替えている。したがって、本発明によれば、カラー原稿とそうでない原稿とに仕分けることができる。
【００１５】
本発明に係る画像読取装置によれば、給紙された原稿一枚毎に機密原稿か否かの判定をし、判定の結果に応じて原稿が排紙される位置を切り替えている。したがって、本発明によれば、機密原稿とそうでない原稿とに仕分けることができる。
【００１６】
本発明に係る画像読取装置によれば、給紙された原稿一枚毎に白紙の面を有するか否かの判定をし、判定の結果に応じて原稿が排紙される位置を切り替えている。したがって、本発明によれば、白紙の面を有する原稿とそうでない原稿とに仕分けることができる。
【発明を実施するための最良の形態】
【００１７】
本発明の実施形態について図面を用いて説明する。図１は、第１実施形態に係る画像読取装置１の主要な構成を示す図である。画像読取装置１は、コピー機、スキャナー、ファクシミリ機やこれらの機能を有するデジタル複合機に備えることができる。
【００１８】
画像読取装置１は、原稿自動送り装置３及びこの装置３によって読取位置Ｐ１に搬送された原稿を読み取る画像センサ５を備える。原稿自動送り装置３は、原稿の搬送経路Ｃ１〜Ｃ６に設置された、ローラＲ１〜Ｒ１２、ガイドＧ１，Ｇ２及び原稿検知センサＳ１〜Ｓ３を備える。
【００１９】
ローラＲ１は原稿を繰り込む方向に回転し、これにより、図示しない給紙トレイから原稿が繰り込まれる。ローラＲ１の両端部には、ローラＲ２を保持するアーム７が揺動可能に取り付けられている。ローラＲ３は、ローラＲ１と協働して原稿をニップする。ローラＲ２が原稿を繰り込む方向に回転すると共にローラＲ３が原稿を戻す方向に回転することによって、二枚以上の原稿が一度に繰り込まれるのを防止する。
【００２０】
ローラＲ４，Ｒ５，Ｒ６は、原稿を読取位置Ｐ１へ搬送する方向に同期して回転する。ローラＲ７，Ｒ８，Ｒ９はフリーローラである。ローラＲ４とローラＲ７、ローラＲ５とローラＲ８、ローラＲ６とローラＲ９で、それぞれ原稿をニップする。
【００２１】
ローラＲ１０，Ｒ１１は、時計方向及び反時計方向に回転可能である。搬送経路Ｃ４を通った原稿は、ローラＲ１０，Ｒ１１によってニップされる。ローラＲ１０が時計方向に回転すると共にローラＲ１１が反時計方向に回転することによって、原稿は排紙トレイＴ１に排紙される。一方、ローラＲ１０が反時計方向に回転すると共にローラＲ１１が時計方向に回転することによって、原稿は、ガイドＧ２上を通り、搬送経路Ｃ６、搬送経路Ｃ２及び搬送経路Ｃ３を通り、読取位置Ｐ１へ搬送される。
【００２２】
ローラ１２は時計方向に回転可能である。搬送経路Ｃ５を通った原稿は、ローラＲ１０，Ｒ１２によってニップされる。ローラＲ１０が反時計方向に回転すると共にローラＲ１２が時計方向に回転することによって、原稿は排紙トレイＴ２に排紙される。ローラＲ１〜Ｒ１２は、給紙された原稿を読取位置Ｐ１へ搬送する搬送手段として機能する。原稿を搬送するローラとしてローラＲ１〜Ｒ１２を説明したが、原稿を搬送するローラの数や設置箇所はこれに限定されない。
【００２３】
ガイドＧ１は、図示しないガイド駆動部によって、その位置が切り替えられる。これにより、排紙トレイＴ１へ向かう搬送経路Ｃ４と排紙トレイＴ２へ向かう搬送経路Ｃ５が選択される。ガイドＧ１は、判定（例えば、原稿が裏紙として再利用できるか否か）の結果に応じて、搬送手段（ローラＲ１〜Ｒ１２）によって原稿が排紙される位置（排紙トレイＴ１，Ｔ２）を切り替える切替手段として機能する。
【００２４】
ガイドＧ２は通常、図１に示す位置にある。ガイドＧ２はガイドＧ１と異なり、ガイド駆動部によりその位置が切り替えられるのではなく、搬送経路Ｃ４を通る原稿によって押されて撓み、原稿をローラＲ１０，Ｒ１１へ導く。そして、原稿がガイドＧ２を通過し終わると、ガイドＧ２は図１に示す位置に戻る。ローラＲ１０，Ｒ１１でニップされた原稿を搬送経路Ｃ６へ送る場合、ガイドＧ２は図１に示す位置にあるので、原稿は搬送経路Ｃ４へ導かれずに、ガイドＧ２上を通過して搬送経路Ｃ６へ導かれる。
【００２５】
原稿検知センサＳ１，Ｓ２，Ｓ３は、原稿の位置を検知するためのセンサである。例えば、原稿検知センサＳ１によって、給紙トレイに原稿がセットされているか否かが検知される。
【００２６】
画像読取装置１は、読取位置Ｐ１に配置されたプラテンガラス９及びこの近傍に配置されたミラー１１を含む光学系を備える。原稿を読み取るために、図示しない光源から原稿に照射された光は、原稿で反射されてプラテンガラス９を通過し、ミラー１１を含む光学系によって画像センサ５上で結像される。これにより、原稿に記録されている画像が画像センサ５によって読み取られる。
【００２７】
原稿の読み取りとは、原稿（原稿の片面又は両面）を読み取って、画像データを出力することである。画像が記録されている面ではこの画像の画像データが出力され、白紙の面では白紙の画像データが出力されることになる。原稿の両面又は片面に記録されている画像は、原稿上にある情報であり、原稿に付けられている情報の一例である。この情報は、原稿を裏紙として再利用できるか否かの判定に用いられる。画像センサ５で原稿を読み取ることによって原稿に付けられている情報を取得する。
【００２８】
次に、画像読取装置１のハードウェア構成について、図２を用いて説明する。図２は、画像読取装置１のハードウェア構成を示すブロック図である。画像読取装置１は、制御部２１、画像センサ５、原稿検知センサＳ１〜Ｓ３、ローラ駆動部２３、ガイド駆動部２５表示部２７、操作部２９、ＲＯＭ３１、ＲＡＭ３３、画像メモリ３５が相互にバス３７で接続された構成を有する。
【００２９】
制御部２１は、例えばＣＰＵにより実現されており、画像読取装置１を構成する上記ハードウェアを制御すると共に画像読取装置１の動作に必要なソフトウェアを実行する。画像センサ５は、ＣＣＤ等によって原稿に記録された画像を読み取って画像データとして出力する。制御部２１は、図１のローラＲ１〜Ｒ１２によって搬送されている原稿一枚毎に原稿に付けられている情報を基にして所定の判定をする判定手段として機能する。
【００３０】
原稿検知センサＳ１，Ｓ２，Ｓ３は、上記の通り、原稿の位置を検知するためのセンサであり、リミットセンサや発光素子と受光素子で構成される光センサ等によって実現される。ローラ駆動部２３は、例えばステッピングモータにより実現され、フリーローラ以外のローラＲ１〜Ｒ１２を回転駆動する。ガイド駆動部２５は、ソレノイド等により実現され、ガイドＧ１の位置を切り替える。
【００３１】
表示部２７は、画像読取装置１の動作状態、各種設定内容等を表示する。表示部２７は、ＬＣＤ、ＣＲＴ等で実現される。操作部２９は、画像読取装置１の操作に必要なキー（テンキー、スタートキー、リセットキー、各種のファンクションキー等）を備える。
【００３２】
ＲＯＭ３１は、画像読取装置１の動作に必要なソフトウェアを記憶している。ＲＡＭ３３は、ＳＲＡＭ、ＤＲＡＭ、フラッシュメモリ等により実現されており、ソフトウェアの実行時に発生するデータを一時的に記憶する。画像メモリ３５は、ＤＲＡＭ等で実現されており、画像センサ５から出力された画像データを一時的に記憶する。
【００３３】
第１実施形態に係る画像読取装置１は、原稿を読み取り、片面又は両面が白紙の原稿（つまり、白紙の面を有する原稿）を排紙トレイＴ１に排紙し、両面とも白紙でない原稿を排紙トレイＴ２に排紙して、原稿を裏紙として再利用できる原稿とそうでない原稿とに仕分ける。この動作の詳細を図３〜図８を用いて説明する。図３〜図７は、画像読取装置１内の原稿５１の位置を示す図であり、図１と対応する。図８は、画像読取装置１の動作のフローチャートである。ここで、原稿５１の両面のうち、最初に読み取られる片面を第１の面５３とし、次に読み取られる片面を第２の面５５とする。  
【００３４】
図３に示すように、給紙トレイにセットされた原稿５１は、ローラＲ１〜Ｒ３によって、一枚毎に原稿自動送り装置３内へ繰り込まれる（ステップＳ１）。繰り込まれた原稿５１は、ローラＲ１〜Ｒ１２によって、以下のように搬送される。
【００３５】
まず、図４に示すように、原稿５１は、搬送経路Ｃ１→搬送経路Ｃ２→搬送経路Ｃ３を通って、読取位置Ｐ１へ搬送される。原稿５１の第１の面５３を下にして読取位置Ｐ１を通過させて、画像センサ５によって原稿５１の第１の面５３が読み取られる（ステップＳ３）。第１の面５３が読み取られた原稿５１は、搬送経路Ｃ４を通り、ローラＲ１０，Ｒ１１へ向けて搬送される。原稿５１は、ローラＲ１０，Ｒ１１によってニップされ、そして、図５に示すように、原稿５１の後端部５７付近がローラＲ１０，Ｒ１１によってニップされる位置まで原稿５１は排紙トレイＴ１側へ送られる。
【００３６】
原稿５１の第１の面５３の読み取りが完了すると、第１の面５３が白紙か否か判定される（ステップＳ５）。原稿５１の第１の面５３について、画像センサ５から出力された画像データが白紙の画像データ、つまり画像が含まれていなければ白紙と判定される。白紙の判定がされると、第１の面５３（白紙の面）を下にして原稿５１は排紙トレイＴ１に排紙される（ステップＳ７）。第１の面５３が白紙と判定されると、原稿５１は裏紙として再利用できるので、第２の面５５が白紙か否か判定することなく、排紙トレイＴ１に排紙される。
【００３７】
これに対して、第１の面５３が白紙でないと判定されると、図６に示すように、原稿５１は、搬送経路Ｃ６→搬送経路Ｃ２→搬送経路Ｃ３を通って、読取位置Ｐ１へ搬送される。原稿５１の第２の面５５を下にして読取位置Ｐ１を通過させて、画像センサ５によって原稿５１の第２の面５５が読み取られる（ステップＳ９）。第２の面５５が読み取られた原稿５１は、第１の面５３が読み取られた場合と同様に、搬送経路Ｃ４を通り、ローラＲ１０，Ｒ１１へ向けて搬送され、図５に示す状態にされる。
【００３８】
原稿５１の第２の面５５の読み取りが完了すると、第１の面５３の場合と同様にして、第２の面５５が白紙か否か判定される（ステップＳ１１）。白紙の判定がされると、第２の面５５（白紙の面）を下にして原稿５１は排紙トレイＴ１に排紙される（ステップＳ１３）。
【００３９】
一方、第２の面５５が白紙でないと判定されると、図７に示すように、ガイドＧ１の位置が切り替えられて、原稿５１は、搬送経路Ｃ６→搬送経路Ｃ２→搬送経路Ｃ３→搬送経路Ｃ５を通って、ローラＲ１０，Ｒ１２へ向けて送られる。原稿５１は、ローラＲ１０，Ｒ１２でニップされて、排紙トレイＴ２に排紙される（ステップＳ１５）。
【００４０】
以上のように、第１実施形態に係る画像読取装置１によれば、原稿５１一枚毎に白紙の面を有するか否か判定して、白紙の面を有する原稿５１（つまり、少なくとも片面が白紙の原稿５１）を排紙トレイＴ１に排紙すると共に白紙の面を有さない原稿５１（つまり、両面共に画像が記録されている原稿５１）を排紙トレイＴ２に排紙する。したがって、第１実施形態によれば、原稿５１を裏紙として再利用できるものとそうでないものとに仕分けることができる。
【００４１】
また、第１実施形態に係る画像読取装置１によれば、白紙の面を有する判定がされた原稿５１について、白紙の面を一方向（第１実施形態では白紙の面を下）に揃えて排紙トレイＴ１に排紙している。したがって、排紙トレイＴ１の原稿５１の束は、白紙の面が一方向に向いた状態なので、原稿５１の束をそのまま、プリンタ等の給紙トレイにセットして裏紙として再利用することができる。このように第１実施形態によれば、原稿５１を裏紙として効率的に再利用することができる。
【００４２】
次に、第２実施形態に係る画像読取装置について、第１実施形態との相違を中心に説明する。図９は、第２実施形態に係る画像読取装置７１の主要な構成を示す図である。画像読取装置７１は、画像センサ５の他に、読取位置Ｐ１より下流の読取位置Ｐ２に配置された画像センサ７３を備える。原稿の片面の一方が画像センサ５で読み取られ、片面の他方が画像センサ７３で読み取られるので、所謂１パスで原稿の両面が読み取られる。
【００４３】
画像センサ７３として、例えばＣＩＳ(Contact Image Sensor)を用いることができる。ＣＩＳは密着型の画像センサなので、画像センサ７３の読み取り面に原稿を密着させるためのローラＲ１３が配置されている。
【００４４】
図１に示すガイドＧ２は、画像読取装置７１に配置されていない。これは、画像読取装置７１は１パスで原稿の両面が読み取られるので、図６に示すように第１の面５３の読み取り後、第２の面５５を読み取るために、ローラＲ１０，Ｒ１１でニップされた原稿５１を搬送経路Ｃ６→搬送経路Ｃ２→搬送経路Ｃ３へ送る動作が不要だからである。
【００４５】
画像読取装置７１は、画像センサ７３とガイドＧ１との間に、原稿を搬送するためのローラＲ１４〜Ｒ１７が配置されている。ローラＲ１４，Ｒ１６及びローラＲ１５，Ｒ１７でそれぞれ原稿をニップする。
【００４６】
第２実施形態に係る画像読取装置７１も、第１実施形態に係る画像読取装置１と同様に、原稿を読み取り、片面又は両面が白紙の原稿を排紙トレイＴ１へ排紙し、両面とも白紙でない原稿を排紙トレイＴ２へ排紙して、原稿を裏紙として再利用できる原稿とそうでない原稿に仕分ける。この動作の詳細を図１０〜図１４を用いて説明する。図１０〜図１３は、画像読取装置７１内の原稿５１の位置を示す図であり、図９と対応する。図１４は、画像読取装置７１の動作のフローチャートである。
【００４７】
図１０に示すように、第１実施形態と同様にして、ステップＳ１，Ｓ３の処理をする。画像センサ５で第１の面５３が読み取られた原稿５１は、画像センサ７３へ送られる。画像センサ７３によって、原稿５１の第２の面５５が読み取られる（ステップＳ２１）。
【００４８】
図１１に示すように、画像センサ７３で第２の面５５が読み取られた原稿５１は、ガイドＧ１へ向けて搬送される。この間に、原稿５１の第１の面５３が白紙か否か判定される（ステップＳ２３）。白紙の判定がされると、図１２に示すように、搬送経路Ｃ４が選択されて、第１の面５３（白紙の面）を下にして原稿５１は排紙トレイＴ１に排紙される（ステップＳ２５）。
【００４９】
図１１に示す原稿５１の搬送中に第１の面５３が白紙でないと判定されると、原稿５１の第２の面５５が白紙か否か判定される（ステップＳ２７）。白紙の判定がされると、図１２に示すように、搬送経路Ｃ４が選択されて、第２の面５５（白紙の面）を上にして原稿５１は排紙トレイＴ１に排紙される（ステップＳ２９）。
【００５０】
図１１に示す原稿５１の搬送中に原稿５１の両面ともに白紙でないと判定されると、図１３に示すように、ガイドＧ１を駆動して搬送経路Ｃ５に切り替える。これにより、原稿５１は、ローラＲ１０，Ｒ１２でニップされて、排紙トレイＴ２に排紙される（ステップＳ３１）。
【００５１】
第２実施形態に係る画像読取装置７１は、第１実施形態と同様に、原稿５１一枚毎に白紙の面を有するか否かの判定をして、白紙の面を有する原稿５１を排紙トレイＴ１に排紙すると共に白紙の面を有さない原稿５１を排紙トレイＴ２に排紙する。よって、第２実施形態によっても、原稿５１を裏紙として再利用できるものとそうでないものとに仕分けることができる。
【００５２】
第２実施形態に係る画像読取装置７１によれば、画像センサ５で原稿５１の第１の面５３を読み取り、画像センサ７３で第２の面５５を読み取る。したがって、原稿５１は１パスで両面が読み取られて、原稿５１の両面について白紙か否か判定されるので、第１実施形態に比べて原稿の仕分けに要する時間を短くすることができる。
【００５３】
第１及び第２実施形態では、白紙の面を有するか否かについて原稿５１一枚毎に判定して、白紙の面を有する判定がされた原稿を排紙トレイＴ１に排紙し、有さない判定がされた原稿を排紙トレイＴ２に排紙して、裏紙として再利用できる原稿とそうでない原稿とに仕分けている。この他に、原稿の両面又は片面に記録されている画像を原稿に付けられている情報として、原稿を次のように仕分けることもできる。
【００５４】
カラー原稿とそうでない原稿（つまりモノクロ原稿）とに仕分ける。カラー原稿とモノクロ原稿とでは、再生紙にするための処理方法が異なるので、再生紙用に廃棄するときは仕分ける必要があるからである。
【００５５】
第１実施形態で説明すると、例えば、以下のようにして仕分けることができる。画像センサ５で読み取られた原稿５１の第１の面５３にカラー画像が記録されている場合、原稿５１をカラー原稿と判定して排紙トレイＴ１に排紙する。第１の面５３にカラー画像が記録されていない場合でも、画像センサ５で読み取られた原稿５１の第２の面５５にカラー画像が記録されている場合、原稿５１をカラー原稿と判定して排紙トレイＴ１に排紙する。原稿５１の第１の面５３及び第２の面５５の両面にカラー画像が記録されていない場合、原稿５１をモノクロ原稿と判定して排紙トレイＴ２に排紙する。カラー原稿か否かの判定は、図２の制御部２１で実行される。
【００５６】
機密原稿とそうでない原稿とに仕分ける。これにより、機密原稿をシュレッダー処理し、そうでない原稿を再利用することができる。
【００５７】
例えば、特定パターンによって機密原稿であることを示している場合、第１実施形態では以下のように仕分けることができる。画像センサ５で読み取られた原稿５１の第１の面５３に特定パターンが記録されている場合、原稿５１を機密原稿と判定して排紙トレイＴ１に排紙する。第１の面５３に特定パターンが記録されていない場合でも、画像センサ５で読み取られた原稿５１の第２の面５５に特定パターンが記録されている場合、原稿５１を機密原稿と判定して排紙トレイＴ１に排紙する。原稿５１の第１の面５３及び第２の面５５の両面に特定パターンが記録されていない場合、原稿５１を機密でない原稿と判定して排紙トレイＴ２に排紙する。機密原稿か否かの判定は、図２の制御部２１で実行される。
【００５８】
第１及び第２実施形態に係る画像読取装置１，７１は、（１）裏紙として再利用できる原稿か否かの仕分け、（２）カラー原稿か否かの仕分け、（３）機密原稿か否かの仕分け、のいずれか一つのみの機能を有する構成でもよいし、（１）〜（３）をユーザが任意に選択できる機能を有する構成でもよい。
【００５９】
（１）〜（３）は単独で用いることもできるし、組み合わせることもできる。例えば、（１）と（３）を組み合わせた場合を説明する。まず、原稿５１が機密原稿か否か判定して、機密原稿を第１の排紙トレイに排紙する。次に、機密原稿でない判定がされた原稿が白紙の面を有するか否かの判定をし、白紙の面を有する原稿を第２の排紙トレイに排紙すると共に白紙の面を有さない原稿を第３の排紙トレイに排紙する。
【００６０】
第１及び第２実施形態では、原稿５１が排紙される排紙トレイＴ１，Ｔ２の切り替えによって、原稿５１が排紙される位置を切り替えている。しかしながら、一つの排紙トレイで原稿５１を排紙する位置をずらすことによって、原稿５１が排紙される位置を切り替えてもよい。
【００６１】
第１及び第２実施形態では、原稿５１の両面又は片面に記録されている画像を原稿５１に付けられている情報として、原稿５１を仕分けている。しかしながら、原稿５１にＲＦタグが埋め込まれている場合、ＲＦタグに記憶されている情報（これを原稿中にある情報と言うこともできる）を、原稿５１に付けられている情報として、原稿５１を仕分けてもよい。この場合、原稿５１に付けられている情報は、画像センサ５，７３でなく、リーダライタで取得する。
【００６２】
第１実施形態では、読取位置Ｐ１上を原稿５１が通過しているときに、固定した状態の画像センサ５によって原稿５１の第１の面５３や第２の面５５が読み取られる。しかしながら、プラテンガラス上に搬送されて止まった状態の原稿を、移動する画像センサによって読み取るタイプにも本発明を適用することができる。
【図面の簡単な説明】
【００６３】
【図１】第１実施形態に係る画像読取装置の主要な構成を示す図である。
【図２】第１実施形態に係る画像読取装置のハードウェア構成を示すブロック図である。
【図３】第１実施形態に係る画像読取装置内の原稿の位置（第１の位置）を示す図である。
【図４】第１実施形態に係る画像読取装置内の原稿の位置（第２の位置）を示す図である。
【図５】第１実施形態に係る画像読取装置内の原稿の位置（第３の位置）を示す図である。
【図６】第１実施形態に係る画像読取装置内の原稿の位置（第４の位置）を示す図である。
【図７】第１実施形態に係る画像読取装置内の原稿の位置（第５の位置）を示す図である。
【図８】第１実施形態に係る画像読取装置の動作のフローチャートである。
【図９】第２実施形態に係る画像読取装置の主要な構成を示す図である。
【図１０】第２実施形態に係る画像読取装置内の原稿の位置（第１の位置）を示す図である。
【図１１】第２実施形態に係る画像読取装置内の原稿の位置（第２の位置）を示す図である。
【図１２】第２実施形態に係る画像読取装置内の原稿の位置（第３の位置）を示す図である。
【図１３】第２実施形態に係る画像読取装置内の原稿の位置（第４の位置）を示す図である。
【図１４】第２実施形態に係る画像読取装置の動作のフローチャートである。
【符号の説明】
【００６４】
１・・・画像読取装置、３・・・原稿自動送り装置、５・・・画像センサ、７・・・アーム、９・・・プラテンガラス、１１・・・ミラー、２１・・・制御部、２３・・・ローラ駆動部、２５・・・ガイド駆動部、２７・・・表示部、２９・・・操作部、３１・・・ＲＯＭ、３３・・・ＲＡＭ、３５・・・画像メモリ、３７・・・バス、５１・・・原稿、５３・・・第１の面、５５・・・第２の面、５７・・・後端部、７１・・・画像読取装置、７３・・・画像センサ、Ｃ１〜Ｃ６・・・搬送経路、Ｒ１〜Ｒ１７・・・ローラ、Ｇ１，Ｇ２・・・ガイド、Ｓ１〜Ｓ３・・・原稿検知センサ、Ｔ１，Ｔ２・・・排紙トレイ、Ｐ１，Ｐ２・・・読取位置
【図１】
2007282065.tif 000003
【図２】
2007282065.tif 000004
【図３】
2007282065.tif 000005
【図４】
2007282065.tif 000006
【図５】
2007282065.tif 000007
【図６】
2007282065.tif 000008
【図７】
2007282065.tif 000009
【図８】
2007282065.tif 000010
【図９】
2007282065.tif 000011
【図１０】
2007282065.tif 000012
【図１１】
2007282065.tif 000013
【図１２】
2007282065.tif 000014
【図１３】
2007282065.tif 000015
【図１４】
2007282065.tif 000016